(57)【要約】【課題】放射線測定装置において、外部装置の要求に柔軟に対応する。【解決手段】測定部２０は、測定データとその属性データを表わすデータ識別子とを含むデータを外部伝送部２２に送る。データファイル生成部３６は、複数のデータ識別子が列記されたデータファイル構成定義ファイルに従って、データ中の測定データをファイル要素とするデータファイルを生成する。外部通信部３８は、そのデータファイルをホスト装置１２に送信する。【選択図】図２
2018059829.tif 000002
【特許請求の範囲】
【請求項１】
測定ユニットと外部通信ユニットとを含む複数のユニットを含み、
前記測定ユニットは、
測定データとその属性を表わすデータ識別子とを含むデータを前記外部通信ユニットに送る第１内部通信手段を含み、
前記外部通信ユニットは、
複数のデータ識別子が列記されたデータファイル構成定義ファイルを含む定義ファイルに従って、前記データ中の測定データをファイル要素とするデータファイルを生成するデータファイル生成手段と、
前記データファイルを外部装置へ送る外部通信手段と、
を含む、
ことを特徴とする放射線測定装置。
【請求項２】
請求項１に記載の放射線測定装置において、
前記第１内部通信手段は、他のユニットとの間でパケットを送受する回路であり、前記データとして、測定データとその属性を表わすデータ識別子とを含むデータパケットを、前記外部通信ユニットへ送り、
前記外部通信ユニットは、
他のユニットとの間でパケットを送受する回路であって、前記データパケットを受ける第２内部通信手段を更に含み、
前記データファイル生成手段は、前記定義ファイルに従って、前記データパケット中の測定データをファイル要素とする前記データファイルを生成する、
ことを特徴とする放射線測定装置。
【請求項３】
請求項１又は請求項２に記載の放射線測定装置において、
同じ種類の測定データであっても、測定データの状態に応じて、異なるデータ識別子が測定データに付与される、
ことを特徴とする放射線測定装置。
【請求項４】
請求項１から請求項３のいずれか一項に記載の放射線測定装置において、
前記データファイル生成手段は、前記データファイル構成定義ファイルに列記された複数のデータ識別子の並び順で測定データを並べることにより、前記データファイルを生成する、
ことを特徴とする放射線測定装置。
【請求項５】
請求項１から請求項４のいずれか一項に記載の放射線測定装置において、
前記定義ファイルは、前記データファイルを前記外部装置へ送るための通信媒体を定義する通信媒体定義ファイルを更に含み、
前記外部通信手段は、前記通信媒体定義ファイルが定義する通信媒体を利用して、前記データファイルを前記外部装置へ送る、
ことを特徴とする放射線測定装置。
【請求項６】
請求項１から請求項５のいずれか一項に記載の放射線測定装置において、
前記定義ファイルは、前記データファイルを前記外部装置へ送るときの通信プロトコルを定義する通信プロトコル定義ファイルを更に含み、
前記外部通信手段は、前記通信プロトコル定義ファイルが定義する通信プロトコルに従って、前記データファイルを前記外部装置へ送る、
ことを特徴とする放射線測定装置。
【請求項７】
請求項１から請求項６のいずれか一項に記載の放射線測定装置において、
前記外部装置からの要求に応じて、前記定義ファイルの定義内容を変更する変更手段を更に含む、
ことを特徴とする放射線測定装置。
【発明の詳細な説明】
【技術分野】
【０００１】
本発明は、放射線測定装置に関する。
【背景技術】
【０００２】
放射線測定装置としては、モニタリングポスト、サーベイメータ、体表面モニタ、等が知られている。放射線測定装置においては、外部装置としてのホスト装置の要求に応じて、測定データを含むデータファイルを生成して、データファイルを外部装置へ送る場合がある。同様に、ホスト装置の要求に応じた通信プロトコル等に従ってデータファイルをホスト装置へ送る場合がある。
【０００３】
特許文献１には、画面描画データの画像仕様に従って測定データを表示する放射線モニタシステムが開示されている。
【０００４】
特許文献２には、波高スペクトルデータに基づいて、監視ユニットから遠隔にて測定ユニットの設定値信号を出力する放射線モニタが開示されている。
【０００５】
特許文献３には、空間線量率測定計を遠隔操作することにより、空間線量率の測定を空間線量率測定計に行わせる装置が開示されている。
【先行技術文献】
【特許文献】
【０００６】
【特許文献１】特開２００６−９８１１３号公報
【特許文献２】特開２００６−８４３４５号公報
【特許文献３】特開２０１４−８５２１２号公報
【発明の概要】
【発明が解決しようとする課題】
【０００７】
ところで、個々の放射線測定装置の提供に際して、ホスト装置の要求毎に専用のハードウェアや専用のソフトウェアを開発、製造した場合、その負担やコストが増大する場合がある。そのため、ホスト装置の要求の多様性をサポートできるような柔軟性や拡張性を有する放射線測定装置が求められている。
【０００８】
本発明の目的は、放射線測定装置において、外部装置の要求に柔軟に対応することにある。
【課題を解決するための手段】
【０００９】
本発明の放射線測定装置は、測定ユニットと外部通信ユニットとを含む複数のユニットを含み、前記測定ユニットは、測定データとその属性を表わすデータ識別子とを含むデータを前記外部通信ユニットに送る第１内部通信手段を含み、前記外部通信ユニットは、複数のデータ識別子が列記されたデータファイル構成定義ファイルを含む定義ファイルに従って、前記データ中の測定データをファイル要素とするデータファイルを生成するデータファイル生成手段と、前記データファイルを外部装置へ送る外部通信手段と、を含む、ことを特徴とする。
【００１０】
上記の構成によると、データファイル構成定義ファイルに従ってデータファイルが生成される。例えば、データファイル構成定義ファイル中のデータ識別子が、そのデータ識別子に対応する測定データに置き換えられ、これにより、データファイルが生成される。測定データは、例えば、放射線の測定値（例えば線量率等）、温度の測定値、測定時間、放射線測定装置の位置を示す情報、等である。各測定データには、そのデータの種類やデータの状態（ステータス、状況）に応じた固有のデータ識別子が対応付けられている。このデータ識別子は、例えば、放射線測定装置と外部装置において共通の識別子であり、放射線測定装置と外部装置が認識可能な識別子である。例えば、データファイル構成定義ファイル中のデータ識別子自体を変更することにより、その変更後のデータ識別子を有する測定データによってデータファイルが生成され、データファイル構成定義ファイル中のデータ識別子の並び順等の形式を変更することにより、その変更後の形式に従って測定データが記述されたデータファイルが生成される。外部装置は、例えば、放射線測定装置を管理する装置である。外部装置は、複数の放射線測定装置を管理してもよい。例えば、外部装置の要求に応じて、データファイル構成定義ファイルの定義内容が変更されると、その変更後の定義内容に従ってデータファイルが生成される。このように、上記の構成によると、外部装置の要求に柔軟に対応してデータファイルが生成される。
【００１１】
前記第１内部通信手段は、他のユニットとの間でパケットを送受する回路であり、前記データとして、測定データとその属性を表わすデータ識別子とを含むデータパケットを、前記外部通信ユニットへ送り、前記外部通信ユニットは、他のユニットとの間でパケットを送受する回路であって、前記データパケットを受ける第２内部通信手段を更に含み、前記データファイル生成手段は、前記定義ファイルに従って、前記データパケット中の測定データをファイル要素とする前記データファイルを生成する。
【００１２】
同じ種類の測定データであっても、測定データの状態に応じて、異なるデータ識別子が測定データに付与される。例えば、測定データが放射線の測定値であったとしても、その測定値が線量率として表現されている場合と、その測定値がスペクトルで表現されている場合とで、異なる識別子が測定データに付与される。これにより、データ識別子を参照することで、測定データがどのような状態（ステータス、状況）であるのかを容易に識別することが可能となる。
【００１３】
前記データファイル生成手段は、前記データファイル構成定義ファイルに列記された複数のデータ識別子の並び順で測定データを並べることにより、前記データファイルを生成する。例えば、データファイル構成定義ファイルが定義するデータ識別子の並び順を変更することにより、その変更後の並び順に従って測定データが記述されたデータファイルが生成される。その変更要求は、例えば、外部装置から与えられる。これにより、外部装置の要求に柔軟に対応してデータファイルが生成される。
【００１４】
前記定義ファイルは、前記データファイルを前記外部装置へ送るための通信媒体を定義する通信媒体定義ファイルを更に含み、前記外部通信手段は、前記通信媒体定義ファイルが定義する通信媒体を利用して、前記データファイルを前記外部装置へ送る。
【００１５】
上記の構成において、通信媒体は、例えば、電話回線、無線通信、有線通信、衛星通信（回線）、インターネット、等の伝送方式である。例えば、通信媒体定義ファイルには、通信媒体を表わす通信媒体識別子が記述されており、外部通信手段は、その通信媒体識別子に対応する通信媒体を利用してデータファイルを外部装置に送信する。その通信媒体識別子は、例えば、放射線測定装置と外部装置において共通の識別子であり、放射線測定装置と外部装置が認識可能な識別子である。例えば、通信媒体定義ファイル中の通信媒体識別子を変更することにより、その変更後の通信媒体識別子に対応する通信媒体を利用してデータファイルが外部装置に送信される。例えば、外部装置の要求に応じて、通信媒体定義ファイルの定義内容が変更されると、その変更後の定義内容に従ってデータファイルが外部装置に送信される。このように、上記の構成によると、外部装置の要求に柔軟に対応してデータファイルが外部装置に送信される。
【００１６】
前記定義ファイルは、前記データファイルを前記外部装置へ送るときの通信プロトコルを定義する通信プロトコル定義ファイルを更に含み、前記外部通信手段は、前記通信プロトコル定義ファイルが定義する通信プロトコルに従って、前記データファイルを前記外部装置へ送る。
【００１７】
上記の構成において、通信プロトコルは、データファイルの送受信の方式（手順）であり、例えば、外部装置によるデータファイルの取得手順、放射線測定装置から外部装置へのデータファイルの送信の頻度、等を規定する。例えば、通信プロトコル定義ファイルには、通信プロトコルを表わす通信プロトコル識別子が記述されており、外部通信手段は、その通信プロトコル識別子に対応する通信プロトコルに従ってデータファイルを外部装置に送信する。その通信プロトコル識別子は、例えば、放射線測定装置と外部装置において共通の識別子であり、放射線測定装置と外部装置が認識可能な識別子である。例えば、通信プロトコル定義ファイル中の通信プロトコル識別子を変更することにより、その変更後の通信プロトコル識別子に対応する通信プロトコルに従ってデータファイルが外部装置に送信される。例えば、外部装置の要求に応じて、通信プロトコル定義ファイルの定義内容が変更されると、その変更後の定義内容に従ってデータファイルが外部装置に送信される。このように、上記の構成によると、外部装置の要求に柔軟に対応してデータファイルが外部装置に送信される。
【００１８】
前記外部装置からの要求に応じて、前記定義ファイルの定義内容を変更する変更手段を更に含む。
【発明の効果】
【００１９】
本発明によると、放射線測定装置において、外部装置の要求に柔軟に対応することが可能となる。
【図面の簡単な説明】
【００２０】
【図１】本発明の実施形態に係る放射線測定システムを示すブロック図である。
【図２】本実施形態に係る放射線測定装置を示すブロック図である。
【図３】データ構造を示す図である。
【図４】測定データ対応テーブルを示す図である。
【図５】測定データ対応テーブルの別の例を示す図である。
【図６】データファイル構成定義ファイルの一例を示す図である。
【図７】通信媒体定義ファイルの一例を示す図である。
【図８】通信プロトコル定義ファイルの一例を示す図である。
【図９】データファイル生成処理を説明するための図である。
【図１０】本実施形態に係る放射線測定システムの動作を示すシーケンス図である。
【発明を実施するための形態】
【００２１】
図１には、本発明の実施形態に係る放射線測定システムの一例が示されている。放射線測定システムは、一例として、１又は複数の放射線測定装置（例えば、放射線測定装置１０Ａ，１０Ｂ，１０Ｃ，・・・，１０Ｎ）と、外部装置としてのホスト装置１２と、を含む。放射線測定装置１０Ａ，１０Ｂ，１０Ｃ，・・・，１０Ｎを区別する必要がない場合には、これらを「放射線測定装置１０」と称することとする。放射線測定装置１０とホスト装置１２は、通信経路１４を介して互いに通信する機能を備えている。
【００２２】
放射線測定装置１０は、放射線を測定する装置であり、例えば、可搬型のモニタリングポストである。もちろん、放射線測定装置１０は、非可搬型のモニタリングポスト、サーベイメータ、体表面モニタ、等であってもよい。例えば、自治体毎に、１又は複数の放射線測定装置１０が設置される。また、放射線測定装置１０は、他の装置との間でデータを送受信する機能を備えている。
【００２３】
ホスト装置１２は、放射線測定装置１０を管理する装置であり、例えば、パーソナルコンピュータ（ＰＣ）、タブレットＰＣ、スマートフォン、携帯電話、等の装置である。ホスト装置１２は、例えば、ＣＰＵ等のプロセッサと、ハードディスクやメモリ等の記憶装置と、他の装置との間で通信を行うための通信インターフェースと、ユーザインターフェース（表示装置と入力装置）と、を含む装置である。ホスト装置１２は、他の装置との間でデータを送受信する機能を備えている。
【００２４】
通信経路１４は、１又は複数の通信媒体（伝送方式）によって実現される通信経路である。通信媒体は、例えば、電話回線、有線通信（例えば有線ＬＡＮ（Local Area Network））、無線通信（例えば無線ＬＡＮ）、衛星通信（回線）、インターネット、等の方式である。もちろん、通信経路１４は、別の通信媒体によって実現されてもよい。通信経路１４は、専用回線であってもよい。
【００２５】
本実施形態に係る放射線測定システムにおいては、測定データをファイル要素とするデータファイルの構成（つまりデータファイルの形式）を定義するデータファイル構成定義ファイルが作成されており、放射線測定装置１０は、そのデータファイル構成定義ファイルに従って、測定データをファイル要素とするデータファイルを生成し、通信経路１４を介して、そのデータファイルをホスト装置１２に送信する。測定データは、例えば、放射線の測定結果を表わすデータ、温度を表わすデータ、測定時間を表わすデータ、等である。データファイルの形式は、例えば、ＣＳＶ（comma separated values）等のテキスト形式（text形式）、表計算ソフトウェア用のデータ形式、ＨＴＭＬ（Hyper Text Markup Language）形式、等である。もちろん、これら以外のデータ形式が用いられてもよい。
【００２６】
また、データファイルをホスト装置１２へ送るための通信媒体（伝送方式）を定義する通信媒体定義ファイルが作成されており、放射線測定装置１０は、その通信媒体定義ファイルが定義する通信媒体を利用して、データファイルをホスト装置１２に送信する。この通信媒体（伝送方式）は、上述した、電話回線、有線通信（例えば有線ＬＡＮ）、無線通信（例えば無線ＬＡＮ）、衛星通信（回線）、インターネット、等の方式である。
【００２７】
また、データファイルをホスト装置１２へ送るときの通信プロトコル（通信方式、通信手順）を定義する通信プロトコル定義ファイルが作成されており、放射線測定装置１０は、その通信プロトコル定義ファイルが定義する通信プロトコルに従って、データファイルをホスト装置１２に送信する。この通信プロトコルは、データファイルの送受信の方式（手順）であり、例えば、Ｐｕｓｈ方式、Ｐｕｌｌ方式、データファイルの送信時間の間隔、等である。Ｐｕｓｈ方式は、例えば、放射線測定装置１０が自動的にデータファイルをホスト装置１２に送信する方式である。Ｐｕｌｌ方式は、例えば、ホスト装置１２が放射線測定装置１０からデータファイルを取得する方式（例えば、ホスト装置１２が放射線測定装置１０にデータファイルの取得を要求し、放射線測定装置１０は、その要求に応じて、データファイルをホスト装置１２に送信する方式）である。データファイルの送信の時間間隔は、例えば、１日当たり１回の送信、１時間当たり１回の送信、１分当たり１回の送信、等のように、放射線測定装置１０がデータファイルをホスト装置１２に送信する時間の間隔である。例えば、１日当たり１回の送信を定義する通信プロトコルが用いられる場合、放射線測定装置１０は、１日当たり１回の割合で、データファイル（又はデータファイル群）をホスト装置１２に送信する。なお、通信プロトコルは上記の例に限定されるものではなく、上記の例以外の通信プロトコルが用いられてもよい。
【００２８】
本実施形態では、ホスト装置１２からの要求に応じて、上記のデータファイル構成定義ファイル、通信媒体定義ファイル及び通信プロトコル定義ファイルの中の少なくとも１つの定義ファイルの定義内容を変更することができるようになっている。
【００２９】
以下、図２を参照して、放射線測定装置１０の構成について詳しく説明する。図２には、放射線測定装置１０の構成が示されている。
【００３０】
放射線測定装置１０は、検出ユニットとしての検出器１６，１８と、測定ユニットとしての測定部２０と、外部通信ユニットとしての外部伝送部２２と、を含む複数のユニットを含む。また、放射線測定装置１０は、複数のユニットの間の内部ネットワークを構成する内部伝送路２４，２６を含む。各ユニットは、他のユニットとの間でパケット通信を行う機能を備えている。
【００３１】
検出器１６，１８は、例えば、シンチレーション検出器、半導体検出器又はＧＭ管等の放射線検出器である。検出器１６，１８としてシンチレーション検出器が用いられた場合、検出器１６，１８は、シンチレータと、光電子増倍管と、マルチチャンネルアナライザ（ＭＣＡ）と、信号処理部と、ＣＰＵ等のプロセッサと、メモリ等の記憶装置と、を含み、放射線を測定し、放射線の計数率（例えばＣＰＭやＣＰＳ）や線量率等を演算する。検出器１６，１８は、その演算結果である測定値を表わす測定データ（デジタル信号）と、その測定データの属性を表わすデータ識別子（例えば固有のＩＤ）と、を含むデータを、内部伝送路２４を介して測定部２０に送信する。検出器１６，１８は、例えば、パケット通信によって測定部２０にデータを送信する。この場合、検出器１６，１８は、測定データとデータ識別子とを含むデータパケットを生成し、データパケットを測定部２０に送信する。測定データと、その属性を表わすデータ識別子と、の対応付けを表わす測定データ対応テーブル（対応表）が予め作成されており、検出器１６，１８は、その測定データ対応テーブルを参照して、自身が測定した測定データに対応するデータ識別子を、その測定データに対応付けることにより、測定データとデータ識別子とを含むデータパケットを生成する。例えば、記憶装置には、その測定データ対応テーブルを示す情報とプログラムが記憶されており、プロセッサが当該プログラムを実行することにより、測定データ対応テーブルを参照して、測定データにデータ識別子を対応付ける。測定データ対応テーブルについては、図４と図５を参照して後で詳しく説明する。なお、図２に示す例では、２つの検出器が用いられているが、１つの検出器が用いられてもよいし、３つ以上の検出器が用いられてもよい。
【００３２】
データ識別子としてのＩＤは、放射線測定装置１０とホスト装置１２において共通のＩＤ、つまり、放射線測定装置１０とホスト装置１２において共用されるＩＤであり、放射線測定装置１０とホスト装置１２が認識可能な固有のＩＤである。例えば、ホスト装置１２にも、測定データ対応テーブルを示す情報が記憶されている。
【００３３】
測定部２０は、パケット通信によって、検出器１６，１８からデータ（データパケット）を受信し、そのデータに周辺データを付加する機能を備えている。測定部２０は、例えば、内部通信部２８と、データ処理部３０と、制御部３２と、を含む。
【００３４】
内部通信部２８は、第１内部通信手段の一例に相当し、パケット通信を行う機能を備えている。内部通信部２８は、例えば、パケット通信によって、内部伝送路２４を介して、検出器１６，１８からデータパケットを受信し、パケット通信によって、内部伝送路２６を介して、データパケットを外部伝送部２２に送信する。
【００３５】
データ処理部３０は、検出器１６，１８から送られたデータパケットをアンパケット化した上で、アンパケット化されたデータに周辺データを付加し、これにより生成されたデータを再度パケット化する機能を備えている。内部通信部２８は、再度パケット化されたデータ（データパケット）を、内部伝送路２６を介して外部伝送部２２に送信する。周辺データは、例えば、放射線測定装置１０が設置されている場所の温度を表わす温度データ、測定時間を表わす測定時間データ、放射線測定装置１０が設置されている場所を表わす位置データ（例えばＧＰＳデータ）、等である。例えば、放射線測定装置１０に温度センサが設置されており、その温度センサによって温度が測定されて温度データが生成される。また、データ処理部３０は、ＧＰＳ機能によって、放射線測定装置１０が設置されている場所を表わす位置データを取得する。もちろん、これら以外のデータが周辺データとして用いられてもよい。
【００３６】
本実施形態では、周辺データも測定データとして扱われる。測定データとしての周辺データと、その周辺データの属性を表わすデータ識別子（例えば固有のＩＤ）と、の対応付けを表わす測定データ対応テーブル（対応表）が予め作成されており、データ処理部３０は、その測定データ対応テーブルを参照して、周辺データに対応するデータ識別子を、その周辺データに対応付ける。データ処理部３０は、測定データとデータ識別子とを含むデータを再度パケット化する。なお、測定部２０は、ＣＰＵ等のプロセッサとメモリ等の記憶装置とを含む。記憶装置には、例えば、測定データ対応テーブルを示す情報とプログラムが記憶されており、プロセッサが当該プログラムを実行することにより、測定データ対応テーブルを参照して、測定データとしての周辺データにデータ識別子を対応付ける。
【００３７】
周辺データのデータ識別子としてのＩＤも、放射線測定装置１０とホスト装置１２において共通のＩＤであり、放射線測定装置１０とホスト装置１２が認識可能な固有のＩＤである。
【００３８】
制御部３２は、測定部２０の各部の動作を制御する機能を備えている。
【００３９】
外部伝送部２２は、データパケットに基づいてデータファイルを生成し、データファイルを、通信経路１４を介してホスト装置１２に送信する機能を備えている。外部伝送部２２は、例えば、内部通信部３４と、データファイル生成部３６と、外部通信部３８と、記憶部４０と、制御部４２と、を含む。
【００４０】
内部通信部３４は、第２内部通信手段の一例に相当し、パケット通信を行う機能を備えている。内部通信部３４は、例えば、パケット通信によって、内部伝送路２６を介して、測定部２０からデータパケットを受信する。
【００４１】
データファイル生成部３６は、複数のデータ識別子が列記されたデータファイル構成定義ファイルに従って、データパケット中の測定データをファイル要素とするデータファイルを生成する機能を備えている。このとき、データファイル生成部３６は、データファイル構成定義ファイルに列記された複数のデータ識別子の並び順で測定データを並べることにより、データファイルを生成する。このデータファイル構成定義ファイルについては、図６を参照して後で詳しく説明する。
【００４２】
外部通信部３８は、データファイル生成部３６によって生成されたデータファイルを、通信経路１４を介してホスト装置１２に送信する機能を備えている。外部通信部３８は、複数の異なる通信媒体（伝送方式）に対応しており、当該複数の通信媒体の中のいずれかの通信媒体によって、データファイルをホスト装置１２に送信する機能を備えている。上述したように、データファイルをホスト装置１２へ送るための通信媒体（伝送方式）を定義する通信媒体定義ファイルが作成されており、外部通信部３８は、その通信媒体定義ファイルが定義する通信媒体を利用して、データファイルをホスト装置１２に送信する。また、データファイルをホスト装置１２へ送るときの通信プロトコル（通信方式、通信手順）を定義する通信プロトコル定義ファイルが作成されており、外部通信部３８は、その通信プロトコル定義ファイルが定義する通信プロトコルに従って、データファイルをホスト装置１２に送信する。通信媒体定義ファイルについては、図７を参照して後で詳しく説明する。通信プロトコル定義ファイルについては、図８を参照して後で詳しく説明する。
【００４３】
記憶部４０は、ハードディスクやメモリ等の記憶装置であり、上記のデータファイル構成定義ファイル、通信媒体定義ファイル、及び、通信プロトコル定義ファイルを記憶する。これらの定義ファイルは、ホスト装置１２からの要求に応じて変更可能なデータである。また、記憶部４０には、プログラムが記憶されている。外部伝送部２２は、例えばＣＰＵ等のプロセッサを含み、当該プロセッサが当該プログラムを実行することにより、データファイル生成部３６の機能や外部通信部３８の機能や制御部４２の機能が実現される。
【００４４】
制御部４２は、外部伝送部２２の各部の動作を制御する。また、制御部４２は、変更手段の一例に相当し、ホスト装置１２からの要求に応じて、データファイル構成定義ファイル、通信媒体定義ファイル、及び、通信プロトコル定義ファイルを変更する機能を備えている。
【００４５】
以下、図３を参照して、パケット通信にて取り扱われるデータの構造について詳しく説明する。図３には、そのデータの構造が示されている。データパケットは、測定データとデータ識別子としてのＩＤ（例えば固有のＩＤ）とによって構成されている。測定データは、上述したように、放射線測定の結果を表わすデータ（線量率等）、温度データ、測定時間データ、位置データ、等である。ＩＤは、放射線測定装置１０とホスト装置１２において共通のＩＤである。
【００４６】
以下、図４を参照して、測定データ対応テーブル（対応表）について詳しく説明する。測定データ対応テーブルにおいては、測定データの種類を示す情報と、その測定データを表わすデータ識別子としてのＩＤ（例えば固有のＩＤ）と、が互いに対応付けられている。例えば、測定データとしての「線量率Ａ」のＩＤは「０００」であり、測定データとしての「線量率Ｂ」のＩＤは「００１」であり、測定データとしての「温度」のＩＤは「００２」であり、測定データとしての「測定時間」のＩＤは「００３」である。この測定データ対応データブルは、例えば、放射線測定装置１０とホスト装置１２に記憶されている。
【００４７】
図５には、測定データ対応テーブルの別の例が示されている。この測定データ対応テーブルにおいては、測定データの種類が同じ場合であっても、その測定データの状態（ステータス、状況）に応じて、異なるデータ識別子としてのＩＤ（例えば固有のＩＤ）が対応付けられている。例えば、測定データとしての線量率Ａが、線量率そのものを表わすデータである場合、ＩＤ「Ａ０１」が線量率Ａに付与される。線量率Ａが、スペクトルを表わすデータである場合、ＩＤ「Ｂ０１」が線量率Ａに付与される。線量率Ａが、時刻補正済みのデータである場合、ＩＤ「Ｃ０１」が線量率Ａに付与される。このように、同じ線量率Ａであっても、その状態に応じて、異なるＩＤが付与される。この測定データ対応テーブルは、例えば、放射線測定装置１０とホスト装置１２に記憶されている。
【００４８】
本実施形態では、検出器１６，１８や測定部２０において、図４に示されている測定データ対応テーブルに従って各測定データにＩＤが付与されてもよいし、図５に示されている測定データ対応テーブルに従って各測定データにＩＤが付与されてもよい。
【００４９】
以下、図６を参照して、データファイル構成定義ファイルについて詳しく説明する。図６には、データファイル構成定義ファイルの一例が示されている。例えば、データファイル毎にデータファイル構成定義ファイルが予め作成されている。図６に示す例では、データファイルＡの形式を有するデータファイルを生成するためのデータファイル構成定義ファイル、データファイルＢの形式を有するデータファイルを生成するためのデータファイル構成定義ファイル、及び、データファイルＣの形式を有するデータファイルを生成するためのデータファイル構成定義ファイルが予め作成されている。データファイル生成部３６は、これら複数のデータファイル構成定義ファイルの中の１つのデータファイル構成定義ファイルに従って、そのデータファイル構成定義ファイルが定義するデータ形式を有するデータファイルを生成する。例えば、測定データの種類毎にデータファイル構成定義ファイルが予め作成されていてもよいし、複数の測定データの種類の組み合わせ毎にデータファイル構成定義ファイルが予め作成されていてもよい。もちろん、１つのデータファイル構成定義ファイルが予め作成されており、データファイル生成部３６は、そのデータファイル構成定義ファイルに従って、データファイルを生成してもよい。
【００５０】
データファイル構成定義ファイルにおいては、複数のデータ識別子としてのＩＤが列記されている。ここで、データファイルＡの形式を有するデータファイルを生成するためのデータファイル構成定義ファイルについて詳しく説明する。このデータファイル構成定義ファイルは、例えば、テキスト形式のデータファイルを生成するための定義ファイルである。具体的には、データファイル構成定義ファイルの１行目においては、１文字分のスペース（空欄）の後に「ｄａｔａ１」という文字列が記述されており、文字列「ｄａｔａ１」の後に、記号「：（コロン）」が記述されている。２行目においては、２文字分のスペースの後に、データ識別子としての「ＩＤ：０００」が記述されている。データ識別子「ＩＤ：０００」が記述されている領域には、データファイル生成部３６によって、ＩＤ「０００」を有する測定データが入力される予定となっている。３行目においては、１行目と同様のデータ構成を有する。つまり、１文字分のスペースの後に「ｄａｔａ２」という文字列が記述されており、文字列「ｄａｔａ２」の後に、記号「：（コロン）」が記述されている。４行目は、２行目と同様のデータ構成を有する。つまり、２文字分のスペースの後に、データ識別子としての「ＩＤ：００１」が記述されている。データ識別子「ＩＤ：００１」が記述されている領域には、データファイル生成部３６によって、ＩＤ「００１」を有する測定データが入力される予定となっている。以降の行においても同様である。
【００５１】
データファイル構成定義ファイルは、例えば、外部伝送部２２の記憶部４０に記憶されている。もちろん、データファイル構成定義ファイルは、ホスト装置１２にも記憶されていてもよい。データ識別子としてのＩＤは、例えば、ホスト装置１２等の他の装置において認識可能な固有のＩＤである。また、ホスト装置１２からの要求に応じて、データファイル構成定義ファイルの定義内容（例えば、データファイル構成定義ファイルが定義するデータの形式、データファイル構成定義ファイルに含まれるデータの種類等）を変更することが可能となっている。例えば、データファイル構成定義ファイルが定義するデータの形式がテキスト形式であっても、データの記述の仕様（例えばデータの並び順、スペース（空欄）の有無等）が、ユーザ（例えばホスト装置１２を使用する管理者等）の要求毎に異なる場合がある。例えば、あるユーザは、測定データＡ，Ｂ，Ｃの並び順で各測定データが記述されたデータファイルを要求しており、別のユーザは、同じ測定データの種類であっても、測定データＡ，Ｃ，Ｂの並び順で各測定データが記述されたデータファイルを要求している場合がある。また、ユーザ毎に、要求されている測定データが異なる場合がある。例えば、あるユーザは、測定データＡ，Ｂが記述されたデータファイルを要求しており、別のユーザは、測定データＡ，Ｃが記述されたデータファイルを要求している場合がある。このような要求に応じるために、データファイル構成定義ファイルの定義内容を変更できるようになっている。外部伝送部２２の制御部４２は、その要求に応じて、データファイル構成定義ファイルの定義内容を変更する。
【００５２】
以下、図７を参照して、通信媒体（伝送方式）定義ファイルについて詳しく説明する。図７には、通信媒体定義ファイルの一例が示されている。通信媒体定義ファイルにおいては、通信媒体の名称と、その通信媒体を識別するための通信媒体識別子としてのＩＤ（例えば固有のＩＤ）と、が対応付けられている。図７に示す例では、通信媒体ＸにはＩＤ「００Ｘ」が対応付けられており、通信媒体ＹにはＩＤ「００Ｙ」が対応付けられており、通信媒体ＺにはＩＤ「００Ｚ」が対応付けられている。例えば、通信媒体Ｘは、市街地では使用可能であるが、山中では使用できない通信媒体（例えば無線ＬＡＮ等）である。また、通信媒体Ｙは、市街地と山中の両方で使用可能な通信媒体（例えば衛星通信）である。外部通信部３８は、例えば、通信媒体Ｘ，Ｙ、Ｚに対応しており、通信媒体Ｘ，Ｙ，Ｚに従ってデータファイルをホスト装置１２に送信する機能を備えている。例えば、外部通信部３８は、これら複数の通信媒体の中の１つの通信媒体に従って、データファイルをホスト装置１２に送信する。もちろん、通信媒体定義ファイルには１つの通信媒体が定義されており、外部通信部３８は、その通信媒体に従って、データファイルをホスト装置１２に送信してもよい。
【００５３】
通信媒体定義ファイルは、例えば、外部伝送部２２の記憶部４０に記憶されている。もちろん、通信媒体定義ファイルは、ホスト装置１２にも記憶されていてもよい。通信媒体識別子としてのＩＤは、放射線測定装置１０とホスト装置１２において共通のＩＤ、つまり、放射線測定装置１０とホスト装置１２において共用されるＩＤであり、放射線測定装置１０とホスト装置１２において認識可能な固有のＩＤである。また、ホスト装置１２からの要求に応じて、通信媒体定義ファイルの定義内容（つまり、使用される通信媒体）を変更することが可能となっている。例えば、放射線測定装置１０が、無線ＬＡＮを使用できる環境（例えば市街地）に設置されている場合、その無線ＬＡＮに対応した通信媒体（例えば通信媒体Ｘ，Ｙ）が、ユーザによって要求されることが想定される。また、放射線測定装置１０が、無線ＬＡＮが使用できない環境（例えば山中）に設置されている場合、衛星通信に対応した通信媒体（例えば通信媒体Ｙ）が、ユーザによって要求されることが想定される。このような要求に応じるために、通信媒体定義ファイルの定義内容を変更できるようになっている。例えば、通信媒体定義ファイルに通信媒体Ｘのみが定義されている場合において、その通信媒体Ｘではデータファイルの送受信が不可能であり、通信媒体Ｙではデータファイルの送受信が可能な場合、通信媒体の変更（例えば通信媒体Ｘから通信媒体Ｙへの変更）がユーザによって要求されることが想定される。この場合、外部伝送部２２の制御部４２は、その要求に応じて、通信媒体定義ファイルが定義する通信媒体を、通信媒体Ｘから通信媒体Ｙに変更し、外部通信部３８は、通信媒体Ｙに従って、データファイルをホスト装置１２に送信する。
【００５４】
以下、図８を参照して、通信プロトコル定義ファイルについて詳しく説明する。図８には、通信プロトコル定義ファイルの一例が示されている。通信プロトコル定義ファイルにおいては、通信プロトコルの名称と、その通信プロトコルを識別するための通信プロトコル識別子としてのＩＤ（例えば固有のＩＤ）と、が対応付けられている。図８に示す例では、通信プロトコルａにはＩＤ「００ａ」が対応付けられており、通信プロトコルｂにはＩＤ「００ｂ」が対応付けられている。例えば、通信プロトコルａは、１日当たり１回の割合でデータファイルをホスト装置１２に送信するプロトコルであり、通信プロトコルｂは、１時間当たり１回の割合でデータファイルをホスト装置１２に送信するプロトコルである。その他、Ｐｕｓｈ方式を規定する通信プロトコルや、Ｐｕｌｌ方式を規定する通信プロトコル等が、通信プロトコル定義ファイルに定義されていてもよい。外部通信部３８は、それら複数の通信プロトコルの中の１つの通信プロトコルに従って、データファイルをホスト装置１２に送信する。もちろん、通信プロトコル定義ファイルには１つの通信プロトコルが定義されており、外部通信部３８は、その通信プロトコルに従って、データファイルをホスト装置１２に送信してもよい。
【００５５】
通信プロトコル定義ファイルは、例えば、外部伝送部２２の記憶部４０に記憶されている。もちろん、通信プロトコル定義ファイルは、ホスト装置１２に記憶されていてもよい。通信プロトコル識別子としてのＩＤは、放射線測定装置１０とホスト装置１２において共通のＩＤ、つまり、放射線測定装置１０とホスト装置１２において共用されるＩＤであり、放射線測定装置１０とホスト装置１２において認識可能な固有のＩＤである。また、ホスト装置１２からの要求に応じて、通信プロトコル定義ファイルの定義内容（つまり、使用される通信プロトコル）が変更することが可能となっている。例えば、ユーザ側の状況が変わったことで、データファイルの送信回数の変更が要求されたり、送受信の方式の変更が要求されたりすることが想定される。このような要求に応じるために、通信プロトコル定義ファイルの定義内容が変更できるようになっている。例えば、通信プロトコル定義ファイルに通信プロトコルａのみが定義されている場合において、別の通信プロトコルｂが要求された場合、外部伝送部２２の制御部４２は、その要求に応じて、通信プロトコル定義ファイルが定義する通信プロトコルを、通信プロトコルａから通信プロトコルｂに変更し、外部通信部３８は、通信プロトコルｂに従って、データファイルをホスト装置１２に送信する。
【００５６】
以下、図９を参照して、データファイル生成部３６によるデータファイル生成処理について詳しく説明する。図９は、その処理を説明するための図である。
【００５７】
測定データ群４４は、検出器１６，１８や温度センサ等によって得られた複数の測定データを含んでいる。測定データ群４４においては、測定データ毎に、データ識別子としてのＩＤと、測定データの内容（データ実体）と、が互いに対応付けられている。この対応付けは、例えば図４や図５に示されている測定データ対応テーブルに従って、検出器１６，１８や測定部２０によって行われる。測定データ群４４は、データパケットとして、測定部２０から外部伝送部２２に送信される。
【００５８】
外部伝送部２２においては、データファイル生成部３６が、記憶部４０に記憶されているデータファイル構成定義ファイルに従って、データパケットとしての測定データ群４４の中の測定データ（データ実体）をファイル要素とするデータファイルを生成する。図９に示す例では、データファイル構成定義ファイル４６がユーザによって指定されており、外部伝送部２２は、データファイル構成定義ファイル４６に従ってデータファイル４８を生成する。具体的には、データファイル生成部３６は、データファイル構成定義ファイル４６が定義するデータの形式を維持しつつ、データファイル構成定義ファイル４６に記述されているデータ識別子としてのＩＤの文字列を、測定データ群４４の中の当該ＩＤに対応する測定データに置き換える。例えば、測定データ群４４の中でＩＤ「０００」に対応する測定データ（データ実体）は「９９９」であるため、データファイル生成部３６は、データファイル構成定義ファイル４６において、文字列（ＩＤ「０００」）を、そのＩＤ「０００」に対応する測定データを表わす文字列「９９９」に置き換える。他のＩＤについても同様である。これにより、データファイル構成定義ファイル４６中のＩＤの文字列が測定データを表わす文字列に変換され、その結果、データファイル４８が生成される。データファイル４８は、通信媒体定義ファイルによって定義されている通信媒体、及び、通信プロトコル定義ファイルによって定義されている通信プロトコルに従って、ホスト装置１２に送信される。
【００５９】
以下、図１０を参照して、本実施形態に係る放射線測定システムの動作について説明する、図１０は、その動作を示すシーケンス図である。
【００６０】
まず、放射線測定装置１０の外部伝送部２２は、デフォルトのデータファイル構成定義ファイルを、通信経路１４を介してホスト装置１２に送信する（Ｓ０１）。デフォルトのデータファイル構成定義ファイルは、外部伝送部２２の記憶部４０に予め記憶されている定義ファイルである。例えば、ホスト装置１２が定義ファイルを放射線測定装置１０に要求すると、外部伝送部２２は、その要求に応じて、デフォルトのデータファイル構成定義ファイルをホスト装置１２に送信する。定義ファイルの要求は、ユーザの指示に応じて行われてもよいし、自動的に予め設定されたタイミングで行われてもよい。外部伝送部２２は、ホスト装置１２が利用可能な通信媒体（ホスト装置１２が対応している通信媒体）を利用してデータファイル構成定義ファイルをホスト装置１２に送信する。その通信媒体（伝送方式）は、予め設定された通信媒体であり、例えば、放射線測定装置１０からホスト装置１２に定義ファイルを送信するときに利用される通信媒体である。
【００６１】
放射線測定装置１０からホスト装置１２にデータファイル構成定義ファイルが送られると、ホスト装置１２のユーザは、そのデータファイル構成定義ファイルを参照して、データファイル構成定義ファイルの変更の有無を判断する（Ｓ０２）。例えば、データファイル構成定義ファイルが、ホスト装置１２の表示装置（例えば液晶ディスプレイ等）に表示され、ユーザは、その表示内容に基づいて、データファイル構成定義ファイルの変更の有無を判断する。データファイル構成定義ファイルが、ユーザが要求しているデータファイルの形式（出力形式）を定義していない場合、ユーザは、データファイル構成定義ファイルの変更を要求する。一方、データファイル構成定義ファイルが、ユーザが要求しているデータファイルの形式を定義している場合、ユーザは、データファイル構成定義ファイルの変更を要求しない。例えば、ユーザは、ホスト装置１２の入力装置（例えばキーボードや操作パネル等）を使用して、データファイル構成定義ファイルの変更要求の有無を指示する。
【００６２】
もちろん、データファイル構成定義ファイルの変更の有無が、ホスト装置１２によって自動的に判断されてもよい。例えば、ホスト装置１２は、ユーザの要求に応じた内容を定義するデータファイル構成定義ファイルを記憶しており、そのデータファイル構成定義ファイルと放射線測定装置１０から送信されたデータファイル構成定義ファイルとを比較することで、定義ファイルの変更の有無を判断する。例えば、両定義ファイルの差が予め設定された閾値以上の場合、ホスト装置１２は、データファイル構成定義ファイルの変更を行うと判断する。一方、両定義ファイルの差が閾値未満の場合、ホスト装置１２は、データファイル構成定義ファイルの変更を行わないと判断する。
【００６３】
ホスト装置１２は、データファイル構成定義ファイルの変更要求の有無を示す情報を、ホスト装置１２が利用可能な通信媒体を利用して、放射線測定装置１０に送信する（Ｓ０３）。データファイル構成定義ファイルの変更が要求された場合、ホスト装置１２は、変更後のデータファイル構成定義ファイルそのもの、又は、変更後のデータファイル構成定義ファイルの定義内容を表わすデータ（例えば、データ識別子としてのＩＤが列記されたデータ）を、放射線測定装置１０に送信する。変更後のデータファイル構成定義ファイルそのもの、又は、変更後のデータファイル構成定義ファイルの内容を表わすデータは、例えば、ホスト装置１２のユーザによって指定又は作成されたデータである。
【００６４】
放射線測定装置１０の外部伝送部２２は、ホスト装置１２からデータファイル構成定義ファイルの変更要求の有無を示す情報を受信すると、ホスト装置１２が利用可能な通信媒体を利用して、受信済みを示す回答をホスト装置１２に送信する（Ｓ０４）。
【００６５】
データファイル構成定義ファイルの変更が要求されている場合、放射線測定装置１０の制御部４２は、ホスト装置１２からの変更要求に従って、データファイル構成定義ファイルの定義内容を変更する。例えば、変更後のデータファイル構成定義ファイルそのものがホスト装置１２から放射線測定装置１０に送信された場合、制御部４２は、記憶部４０に記憶されているデフォルトのデータファイル構成定義ファイルを、変更後のデータファイル構成定義ファイルに置き換える。変更後のデータファイル構成定義ファイルの定義内容を表わすデータ（例えば、データ識別子としてのＩＤが列記されたデータ）がホスト装置１２から放射線測定装置１０に送信された場合、制御部４２は、記憶部４０に記憶されているデフォルトのデータファイル構成定義ファイルの定義内容を、変更後のデータファイル構成定義ファイルの定義内容に変更する。データファイル構成定義ファイルの変更が要求されていない場合、記憶部４０に記憶されているデフォルトのデータファイル構成定義ファイルの定義内容は変更されずに維持される。
【００６６】
次に、放射線測定装置１０の外部伝送部２２は、ホスト装置１２が利用可能な通信媒体を利用して、デフォルトの通信媒体定義ファイル、又は、その通信媒体定義ファイルに定義されている通信媒体のＩＤを、ホスト装置１２に送信する（Ｓ０５）。デフォルトの通信媒体定義ファイルは、外部伝送部２２の記憶部４０に予め記憶されている定義ファイルである。
【００６７】
放射線測定装置１０からホスト装置１２に通信媒体定義ファイル又は通信媒体のＩＤが送られると、ホスト装置１２のユーザは、その通信媒体定義ファイル又は通信媒体のＩＤを参照して、通信媒体定義ファイルの変更の有無を判断する（Ｓ０６）。例えば、通信媒体定義ファイル又は通信媒体のＩＤが、ホスト装置１２の表示装置に表示され、ユーザは、その表示内容に基づいて、通信媒体定義ファイルの変更の有無を判断する。通信媒体定義ファイルが、ホスト装置１２が利用可能な通信媒体（ホスト装置１２が対応している通信媒体）を定義していない場合、又は、通信媒体のＩＤが、ホスト装置１２が利用可能な通信媒体を表わしていない場合、ユーザは、通信媒体定義ファイルの変更を要求する。一方、通信媒体定義ファイルが、ホスト装置１２が利用可能な通信媒体を定義している場合、又は、通信媒体のＩＤが、ホスト装置１２が利用可能な通信媒体を表わしている場合、ユーザは、通信媒体定義ファイルの変更を要求しない。もちろん、通信媒体定義ファイルが、ホスト装置１２が利用可能な通信媒体を定義している場合であっても、通信媒体定義ファイルが、ユーザが要求している通信媒体を定義していない場合、ユーザは、通信媒体定義ファイルの変更を要求してもよい。同様に、通信媒体のＩＤが、ホスト装置１２が利用可能な通信媒体を表わしている場合であっても、通信媒体のＩＤが、ユーザが要求している通信媒体を表わしていない場合、ユーザは、通信媒体定義ファイルの変更を要求してもよい。例えば、通信料金や通信速度等の条件によっては、通信媒体定義ファイルが定義する通信媒体が、ユーザが要求している通信媒体と異なる場合がある。このような場合に、ユーザが、通信媒体の変更を要求することが想定される。例えば、ユーザは、ホスト装置１２の入力装置を使用して、通信媒体定義ファイルの変更要求の有無を指示する。
【００６８】
もちろん、通信媒体定義ファイルの変更の有無は、ホスト装置１２によって自動的に判断されてもよい。例えば、通信媒体定義ファイルが、ホスト装置１２が利用可能な通信媒体を定義していない場合、ホスト装置１２は、通信媒体定義ファイルの変更を行うと判断する。一方、通信媒体定義ファイルが、ホスト装置１２が利用可能な通信媒体を定義している場合、ホスト装置１２は、通信媒体定義ファイルの変更を行わないと判断する。また、ホスト装置１２は、ユーザによって指定された通信媒体を示す情報を記憶していてもよい。この場合、通信媒体定義ファイルに定義されている通信媒体が、ユーザによって指定された通信媒体と異なる場合、ホスト装置１２は、通信媒体定義ファイルの変更を行うと判断する。一方、通信媒体定義ファイルに定義されている通信媒体が、ユーザによって指定された通信媒体と同じ場合、ホスト装置１２は、通信媒体定義ファイルの変更を行わないと判断する。
【００６９】
ホスト装置１２は、通信媒体定義ファイルの変更要求の有無を示す情報を、ホスト装置１２が利用可能な通信媒体を利用して、放射線測定装置１０に送信する（Ｓ０７）。通信媒体定義ファイルの変更が要求された場合、ホスト装置１２は、変更後の通信媒体定義ファイルそのもの、又は、変更後の通信媒体を表わすデータ（例えば、通信媒体識別子としてのＩＤ）を、放射線測定装置１０に送信する。変更後の通信媒体定義ファイルそのもの、又は、変更後の通信媒体を表わすデータは、例えば、ホスト装置１２のユーザによって指定又は作成されたデータである。例えば、デフォルトの通信媒体のＩＤが「００Ｘ」の場合であって、ホスト装置１２が、ＩＤ「００Ｘ」の通信媒体に対応しておらず、ＩＤ「００Ｙ」の通信媒体に対応している場合、ホスト装置１２は、通信媒体のＩＤとして文字列「００Ｙ」を放射線測定装置１０に送信する。
【００７０】
放射線測定装置１０の外部伝送部２２は、ホスト装置１２から通信媒体定義ファイルの変更要求の有無を示す情報を受信すると、ホスト装置１２が利用可能な通信媒体を利用して、受信済みを示す回答をホスト装置１２に送信する（Ｓ０８）。
【００７１】
通信媒体定義ファイルの変更が要求されている場合、放射線測定装置１０の制御部４２は、ホスト装置１２からの変更要求に従って、通信媒体定義ファイルの定義内容を変更する。例えば、変更後の通信媒体定義ファイルそのものがホスト装置１２から放射線測定装置１０に送信された場合、制御部４２は、記憶部４０に記憶されているデフォルトの通信媒体定義ファイルを、変更後の通信媒体定義ファイルに置き換える。変更後の通信媒体を表わすデータ（例えば、通信媒体識別子としてのＩＤ）がホスト装置１２から放射線測定装置１０に送信された場合、制御部４２は、記憶部４０に記憶されているデフォルトの通信媒体定義ファイルの定義内容を、変更後の通信媒体に変更する。通信媒体定義ファイルの変更が要求されていない場合、記憶部４０に記憶されているデフォルトの通信媒体定義ファイルの定義内容は変更されずに維持される。
【００７２】
次に、放射線測定装置１０の外部伝送部２２は、ホスト装置１２が利用可能な通信媒体を利用して、デフォルトの通信プロトコル定義ファイル、又は、その通信プロトコル定義ファイルに定義されている通信プロトコルのＩＤを、ホスト装置１２に送信する（Ｓ０９）。デフォルトの通信プロトコル定義ファイルは、外部伝送部２２の記憶部４０に予め記憶されている定義ファイルである。
【００７３】
放射線測定装置１０からホスト装置１２に通信プロトコル定義ファイル又は通信プロトコルのＩＤが送られると、ホスト装置１２のユーザは、その通信プロトコル定義ファイル又は通信プロトコルのＩＤを参照して、通信プロトコル定義ファイルの変更の有無を判断する（Ｓ１０）。例えば、通信プロトコル定義ファイル又は通信プロトコルのＩＤが、ホスト装置１２の表示装置に表示され、ユーザは、その表示内容に基づいて、通信プロトコル定義ファイルの変更の有無を判断する。通信プロトコル定義ファイルが、ホスト装置１２が利用可能な通信プロトコル（ホスト装置１２が対応している通信プロトコル）を定義していない場合、又は、通信プロトコルのＩＤが、ホスト装置１２が利用可能な通信プロトコルを表わしていない場合、ユーザは、通信プロトコル定義ファイルの変更を要求する。一方、通信プロトコル定義ファイルが、ホスト装置１２が利用可能な通信プロトコルを定義している場合、又は、通信プロトコルのＩＤが、ホスト装置１２が利用可能な通信プロトコルを表している場合、ユーザは、通信プロトコル定義ファイルの変更を要求しない。もちろん、通信プロトコル定義ファイルが、ホスト装置１２が利用可能な通信プロトコルを定義している場合であっても、通信プロトコル定義ファイルが、ユーザが要求している通信プロトコルを定義していない場合、ユーザは、通信プロトコル定義ファイルの変更を要求してもよい。同様に、通信プロトコルのＩＤが、ホスト装置１２が利用可能な通信プロトコルを表している場合であっても、通信プロトコルのＩＤが、ユーザが要求している通信プロトコルを表していない場合、ユーザは、通信プロトコル定義ファイルの変更を要求してもよい。例えば、データファイルの送信頻度等の条件によっては、通信プロトコル定義ファイルが定義する通信プロトコルが、ユーザが要求している通信プロトコルとは異なる場合がある。このような場合に、ユーザが、通信プロトコルの変更を要求することが想定される。例えば、ユーザは、ホスト装置１２の入力装置を使用して、通信プロトコルの変更要求の有無を指示する。
【００７４】
もちろん、通信プロトコル定義ファイルの変更の有無は、ホスト装置１２によって自動的に判断されてもよい。例えば、通信プロトコル定義ファイルが、ホスト装置１２が利用可能な通信プロトコルを定義していない場合、ホスト装置１２は、通信プロトコル定義ファイルの変更を行うと判断する。一方、通信プロトコル定義ファイルが、ホスト装置１２が利用可能な通信プロトコルを定義している場合、ホスト装置１２は、通信プロトコル定義ファイルの変更を行わないと判断する。また、ホスト装置１２は、ユーザによって指定された通信プロトコルを示す情報を記憶していてもよい。この場合、通信プロトコル定義ファイルに定義されている通信プロトコルが、ユーザによって指定された通信プロトコルと異なる場合、ホスト装置１２は、通信プロトコル定義ファイルの変更を行うと判断する。一方、通信プロトコル定義ファイルに定義されている通信プロトコルが、ユーザによって指定された通信プロトコルと同じ場合、ホスト装置１２は、通信プロトコル定義ファイルの変更を行うと判断する。
【００７５】
ホスト装置１２は、通信プロトコル定義ファイルの変更要求の有無を示す情報を、ホスト装置１２が利用可能な通信媒体を利用して、放射線測定装置１０に送信する（Ｓ１１）。通信プロトコル定義ファイルの変更が要求された場合、ホスト装置１２は、変更後の通信プロトコル定義ファイルそのもの、又は、変更後の通信プロトコルを表わすデータ（例えば、通信プロトコル識別子としてのＩＤ）を、放射線測定装置１０に送信する。変更後の通信プロトコル定義ファイルそのもの、又は、変更後の通信プロトコルを表わすデータは、例えば、ホスト装置１２のユーザによって指定又は作成されたデータである。例えば、デフォルトの通信プロトコルのＩＤが「００ａ」の場合であって、ホスト装置１２が、ＩＤ「００ａ」の通信プロトコルに対応しておらず、ＩＤ「００ｂ」の通信プロトコルに対応している場合、ホスト装置１２は、通信プロトコルのＩＤとして文字列「００ｂ」を放射線測定装置１０に送信する。
【００７６】
放射線測定装置１０の外部伝送部２２は、ホスト装置１２から通信プロトコル定義ファイルの変更要求の有無を示す情報を受信すると、ホスト装置１２が利用可能な通信媒体を利用して、受信済みを示す回答をホスト装置１２に送信する（Ｓ１２）。
【００７７】
通信プロトコル定義ファイルの変更が要求された場合、放射線測定装置１０の制御部４２は、ホスト装置１２からの変更要求に応じて、通信プロトコル定義ファイルの定義内容を変更する。例えば、変更後の通信プロトコル定義ファイルそのものがホスト装置１２から放射線測定装置１０に送信された場合、制御部４２は、記憶部４０に記憶されているデフォルトの通信プロトコル定義ファイルを、変更後の通信プロトコル定義ファイルに置き換える。変更後の通信プロトコルの内容を表わすデータ（例えば、通信プロトコル識別子としてのＩＤ）、がホスト装置１２から放射線測定装置１０に送信された場合、制御部４２は、記憶部４０に記憶されている通信プロトコル定義ファイルの定義内容を、変更後の通信プロトコルに変更する。通信プロトコル定義ファイルの変更が要求されていない場合、記憶部４０に記憶されているデフォルトの通信プロトコル定義ファイルの定義内容は変更されずに維持される。
【００７８】
なお、上記の例では、データファイル構成定義ファイル、通信媒体定義ファイル及び通信プロトコル定義ファイルが、それぞれ別々に、放射線測定装置１０からホスト装置１２に送信されているが、データファイル構成定義ファイル、通信媒体定義ファイル及び通信プロトコル定義ファイルを含む定義ファイルが、一度に、放射線測定装置１０からホスト装置１２に送信されてもよい。
【００７９】
次に、測定部２０は、測定データとデータ識別子としてのＩＤとによって構成されているデータパケットを、外部伝送部２２に送信する（Ｓ１３）。
【００８０】
外部伝送部２２のデータファイル生成部３６は、データファイル構成定義ファイルに従って、測定部２０から送信されたデータパケットの中の測定データ（データ実体）をファイル要素とするデータファイルを生成する（Ｓ１４）。デフォルトのデータファイル構成定義ファイルが維持されている場合、データファイル生成部３６は、デフォルトのデータファイル構成定義ファイルに従ってデータファイルを生成する。デフォルトのデータファイル構成定義ファイルが変更されて、変更後のデータファイル構成定義ファイルが記憶部４０に記憶されている場合、データファイル生成部３６は、変更後のデータファイル構成定義ファイルに従ってデータファイルを生成する。
【００８１】
外部伝送部２２の外部通信部３８は、通信媒体定義ファイルに定義されている通信媒体を利用して、通信プロトコル定義ファイルに定義されている通信プロトコルに従って、データファイルをホスト装置１２に送信する（Ｓ１５）。デフォルトの通信媒体定義ファイルが維持されている場合、外部通信部３８は、デフォルトの通信媒体を利用してデータファイルをホスト装置１２に送信する。デフォルトの通信媒体定義ファイルが変更されて、変更後の通信媒体定義ファイルが記憶部４０に記憶されている場合、外部通信部３８は、変更後の通信媒体を利用してデータファイルをホスト装置１２に送信する。また、デフォルトの通信プロトコル定義ファイルが維持されている場合、外部通信部３８は、デフォルトの通信プロトコルに従ってデータファイルをホスト装置１２に送信する。デフォルトの通信プロトコル定義ファイルが変更されて、変更後の通信プロトコル定義ファイルが記憶部４０に記憶されている場合、外部通信部３８は、変更後の通信プロトコルに従ってデータファイルをホスト装置１２に送信する。
【００８２】
以上のように、本実施形態によると、ホスト装置１２からの変更要求に応じて、定義ファイル（データファイル構成定義ファイル、通信媒体定義ファイル、通信プロトコル定義ファイル）が変更され、変更後の定義ファイルに従ってデータファイルが生成され、そのデータファイルがホスト装置１２に送信される。このように、本実施形態によると、ホスト装置１２の要求に柔軟に対応することが可能となる。例えば、放射線測定システムの運用の都合上、データファイルの形式、通信媒体及び通信プロトコルが、変更される場合がある。本実施形態によると、その変更に柔軟に対応することが可能となる。例えば、データ識別子としてのＩＤ、通信媒体識別子としてのＩＤ、及び、通信プロトコル識別子としてのＩＤが、放射線測定装置１０とホスト装置１２において共通のＩＤとして用いられ、ホスト装置１２からの要求に応じて、定義ファイルが動的に変更される。
【００８３】
また、本実施形態によると、放射線測定装置１０とホスト装置１２において共通のＩＤを用いているため、放射線測定装置１０の故障時において、そのＩＤを参照することにより、調査時間やメンテナンス時間の短縮が望める。
【００８４】
また、本実施形態によると、ホスト装置１２からのリモート操作によって、放射線測定装置１０に記憶されている定義ファイルを書き換えることが可能となる。これにより、様々な場所に設定されている複数の放射線測定装置１０に記憶されている定義ファイルを、ホスト装置１２からのリモート操作によって書き換えることが可能となる。そのため、その書き換えに要する時間を短縮することが可能となる。また、人が介在することが望ましくない放射線測定の現場に、作業者が現実に行かずに、定義ファイルをリモート操作で書き換えることが可能となる。
【００８５】
上述した実施形態において、緊急時において、外部伝送部２２の制御部４２は、定義ファイルの定義内容の変更を禁止してもよい。緊急時は、例えば、放射線の測定値（例えば線量率等）が、予め設定された閾値以上になった場合等である。例えば、ホスト装置１２から定義ファイルの変更が要求された場合であっても、制御部４２は、定義ファイルの定義内容の変更を禁止する。
【００８６】
また、緊急時において、外部伝送部２２のデータファイル生成部３６は、予め設定された緊急時用のデータファイル構成定義ファイルに従ってデータファイルを生成してもよい。緊急時用のデータファイル構成定義ファイルは、予め作成されて記憶部４０に記憶されており、定義内容の変更が禁止された定義ファイルである。例えば、デフォルトのデータファイル構成定義ファイルの定義内容が変更された場合であっても、緊急時には、データファイル生成部３６は、その変更後のデータファイル構成定義ファイルを用いずに、緊急時用のデータファイル構成定義ファイルに従ってデータファイルを生成する。これにより、緊急時における状況を判断するための測定データを含むデータファイルが生成され、そのデータファイルがホスト装置１２に送信される。
【００８７】
また、緊急時において、外部伝送部２２の外部通信部３８は、予め設定された緊急時用の通信媒体定義ファイルに定義されている通信媒体を利用してデータファイルをホスト装置１２に送信してもよい。緊急時用の通信媒体定義ファイルは、予め作成されて記憶部４０に記憶されており、定義内容の変更が禁止された定義ファイルである。例えば、デフォルトの通信媒体定義ファイルの定義内容が変更された場合であっても、緊急時には、外部通信部３８は、その変更後の通信媒体を利用せずに、緊急時用の通信媒体を利用してデータファイルをホスト装置１２に送信する。緊急時用の通信媒体は、例えば、より確実に通信を行うことが可能な通信媒体であり、具体的には、衛星通信等である。例えば、変更後の通信媒体が無線ＬＡＮであっても、緊急時には、衛星通信を利用してデータファイルがホスト装置１２に送信される。これにより、緊急時において、より確実にデータファイルがホスト装置１２に送信される。
【００８８】
また、緊急時において、外部伝送部２２の外部通信部３８は、予め設定された緊急時用の通信プロトコル定義ファイルに定義されている通信プロトコルに従ってデータファイルをホスト装置１２に送信してもよい。緊急時用の通信プロトコル定義ファイルは、予め作成されて記憶部４０に記憶されており、定義内容の変更が禁止された定義ファイルである。例えば、デフォルトの通信プロトコル定義ファイルの定義内容が変更された場合であっても、緊急時には、外部通信部３８は、その変更後の通信プロトコルに従わずに、緊急時用の通信プロトコルに従ってデータファイルをホスト装置１２に送信する。緊急時用の通信プロトコルは、例えば、データファイルの送信頻度が極力多くなるようなプロトコルであり、具体的には、１分間に１回の割合でデータファイルを送信するというプロトコル等である。別の例として、現時点で採用されている通信プロトコルによるデータの送信頻度が、緊急時用の通信プロトコルによるデータの送信頻度よりも少ない場合、緊急時には、外部通信部３８は、緊急時用の通信プロトコルに従ってデータファイルをホスト装置１２に送信してもよい。一方、現時点で採用されている通信プロトコルによるデータの送信頻度が、緊急時用の通信プロトコルによるデータの送信頻度よりも多い場合、緊急時においても、外部通信部３８は、現時点で採用されている通信プロトコルに従ってデータファイルをホスト装置１２に送信してもよい。これにより、緊急時において、その状況を判断するために、より多くのデータファイルがホスト装置１２に送信される。
【符号の説明】
【００８９】
１０  放射線測定装置、１２  ホスト装置、１４  通信経路、１６，１８  検出器、２０  測定部、２２  外部伝送部、２４，２６  内部伝送路、２８，３４  内部通信部、３０  データ処理部、３２  制御部、３６  データファイル生成部、３８  外部通信部、４０  記憶部、４２  制御部。
【図１】
2018059829.tif 000003
【図２】
2018059829.tif 000004
【図３】
2018059829.tif 000005
【図４】
2018059829.tif 000006
【図５】
2018059829.tif 000007
【図６】
2018059829.tif 000008
【図７】
2018059829.tif 000009
【図８】
2018059829.tif 000010
【図９】
2018059829.tif 000011
【図１０】
2018059829.tif 000012